(57)【特許請求の範囲】
【請求項１】
湯を沸かして貯留するタンクから給湯口に湯を配送する管路にポンプ室を配置し、上記ポンプ室にモータで駆動させるインペラを回転自在に配置した電動ポットにおいて、インペラの回転軸芯方向の一方の端部の回転軸芯上にポンプ室の内面に先端を支持された中央軸を突設し、他方の端部に、モータに装着された駆動マグネットと磁気カップリングを構成して互いに吸引される従動マグネットと、上記回転軸芯方向に直交したインペラ端面を設け、上記インペラ端面と対向したポンプ室の内面を対向面とし、上記対向面及びインペラ端面にそれぞれ同中心で同径の円環状のボール受け溝を上記回転軸心を中心として凹設し、それぞれ対向した両ボール受け溝の間に転がり接触する複数個のボールを配置し、複数個のボールの隣接するボール間距離を一定に保つために上記複数個のボールを保持器に保持したことを特徴とする電動ポットの給湯用ポンプ。
【請求項２】
湯を沸かして貯留するタンクから給湯口に湯を配送する管路にポンプ室を配置し、上記ポンプ室にモータで駆動させるインペラを回転自在に配置した電動ポットにおいて、インペラの回転軸芯方向の一方の端部の回転軸芯上にポンプ室の内面に先端を支持された中央軸を突設し、他方の端部に、モータに装着された駆動マグネットと磁気カップリングを構成して互いに吸引される従動マグネットと、上記回転軸芯方向に直交したインペラ端面を設け、上記インペラ端面と対向したポンプ室の内面を対向面とし、上記対向面またはインペラ端面のうち一方に上記回転軸心を中心とした円環状のボール受け溝を凹設し、対向面またはインペラ端面のうち他方の上記ボール受け溝が対向する位置に上記ボール受け溝と同中心で略同外径の円状のフラット面を凹設し、対向したボール受け溝とフラット面との間に転がり接触する複数個のボールを配置し、複数個のボールの隣接するボール間距離を一定に保つために上記複数個のボールを保持器に保持したことを特徴とする電動ポットの給湯用ポンプ。
【請求項３】
湯を沸かして貯留するタンクから給湯口に湯を配送する管路にポンプ室を配置し、上記ポンプ室にモータで駆動させるインペラを回転自在に配置した電動ポットにおいて、インペラの回転軸芯方向の一方の端部の回転軸芯上にポンプ室の内面に先端を支持された中央軸を突設し、他方の端部に、モータに装着された駆動マグネットと磁気カップリングを構成して互いに吸引される従動マグネットと、上記回転軸芯方向に直交したインペラ端面を設け、上記インペラ端面と対向したポンプ室の内面を対向面とし、上記対向面またはインペラ端面のうち一方に球面形状に凹設した複数個のボール受け凹所を上記回転軸心を中心とした円周上に配置し、対向面またはインペラ端面のうち他方に上記ボール受け凹所が対向する円環状のボール受け溝を上記ボール受け凹所の配置円と同中心で凹設し、ボール受け凹所とボール受け溝の間に転がり接触するボールをボール受け凹所毎に配置したことを特徴とする電動ポットの給湯用ポンプ。
【請求項４】
湯を沸かして貯留するタンクから給湯口に湯を配送する管路にポンプ室を配置し、上記ポンプ室にモータで駆動させるインペラを回転自在に配置した電動ポットにおいて、インペラの回転軸芯方向の一方の端部の回転軸芯上にポンプ室の内面に先端を支持された中央軸を突設し、他方の端部に、モータに装着された駆動マグネットと磁気カップリングを構成して互いに吸引される従動マグネットと、上記回転軸芯方向に直交したインペラ端面を設け、上記インペラ端面と対向したポンプ室の内面を対向面とし、上記対向面またはインペラ端面のうち一方に球面形状に凹設した複数個のボール受け凹所を上記回転軸心を中心とした円周状に配置し、対向面またはインペラ端面のうち他方に複数個のボール受け凹所の配置円と同中心の円状のフラット面を凹設し、上記フラット面の外径部と上記ボール受け凹所とが対向し、ボール受け凹所とフラット面との間に転がり接触するボールをボール受け凹所毎に配置したことを特徴とする電動ポットの給湯用ポンプ。
【発明の詳細な説明】
【０００１】
【発明の属する技術分野】
本発明は、電動ポットの給湯用ポンプに関する発明であり、詳しくは、ポンプ室に回転自在に設けたインペラの配設構造に関する発明である。
【０００２】
【従来の技術】
従来から、電動ポットの一般的な構造としては、図８に示すように、電動ポット本体３０の内部に湯を沸かして貯留するタンク３１が配設され、上記タンク３１から給湯口３に至る管路３２を配設し、上記管路３２中にタンク３１に貯留した湯を給湯口３に配送する給湯用ポンプＰを配設したものである。
【０００３】
この電動ポットの給湯用ポンプＰには、図７に示すものがあった。この電動ポットの給湯用ポンプは、湯を沸かして貯留するタンク３１から給湯口３に湯を配送する管路３２にポンプ室２を配置し、このポンプ室２にはモータ室１２が非磁性材で形成した板状隔壁１３を介して隣接している。モータ室１２には電動で駆動するモータ７を配置し、モータ７からポンプ室２方向に延出したモータ駆動軸１４には駆動マグネット１９を装着している。ポンプ室２には回転自在にインペラ４を配置しており、インペラ４の回転軸方向の両端に延出するように回転軸２５を突設し、回転軸２５の一端２５ａを軸受け２６ａ，２７ａに回転自在に挿通すると共に、回転軸２５の他端２５ｂを軸受け２６ｂ，２７ｂに回転自在に挿通しているものである。ここで、回転軸２５の他端２５ｂ及び軸受け２６ｂ，２７ｂはインペラ４のモータ室１２方向に位置すると共に、回転軸２５の一端２５ａ及び軸受け２６ａ，２７ａはモータ室１２と反対方向に位置するものであり、軸受け２６ａ，２６ｂは回転するインペラ４に生じるラジアル荷重（図中矢印Ｂ）を受けるものであって、軸受け２７ａ，２７ｂは回転軸２５のポンプ室２への位置決めを図っているものである。なお、これら軸受け２６ａ，２６ｂ，２７ａ，２７ｂは回転軸２５と滑り接触をしているものである。また、インペラ４の回転軸方向のモータ室１２側の端面には従動マグネット２０を装着している。上記モータ駆動軸１４の駆動マグネット１９とインペラ４の従動マグネット２０とは板状隔壁１３を間に位置させて対向しているものであって、この駆動マグネット１９と従動マグネット２０とは磁気カップリングを構成し、モータ７を回転駆動することで上記磁気カップリングを介してインペラ４が回転駆動するものである。上記回転するインペラ４により湯がタンク３１から給湯口３に連通する管路３２中を配送されるものである。
【０００４】
【発明が解決しようとする課題】
上記のように、この電動ポットの駆動時には、磁気カップリングを構成する駆動マグネット１９と従動マグネット２０とが互いに吸引されるので、インペラ４はモータ室１２方向のスラスト荷重（図中矢印Ａ）を受けてモータ室１２方向に付勢されながら回転するものである。このとき、上記スラスト荷重（図中矢印Ａ）によって付勢されたインペラ４の回転軸２５の他端２５ｂは軸受け２７ｂに押し付けられ、回転軸２５の他端２５ｂと軸受け２７ｂの接触をより強力にするものであって、これに伴い、インペラ４の回転軸２５と軸受け２７ｂとの間の滑り接触の接触抵抗が増大してしまうものである。しかして、上記のような構造の電動ポットの給湯用ポンプでは、回転したインペラ４の回転軸２５と軸受け２７ｂとの間の接触抵抗の増大に伴ってモータ７に過負荷がかかるものであり、モータ７の消費電力が増大するといった問題があるものであった。
【０００５】
本発明は上記の点に鑑みてなされたものであり、ポンプ室に回動自在設けるインペラのポンプ室との接触抵抗を低減させ、インペラを駆動させるモータの消費電力を少なくした電動ポットの給湯用ポンプを提供することを課題とするものである。
【０００６】
【課題を解決するための手段】
上記課題を解決するために本発明の請求項１に係る電動ポットの給湯用ポンプは、湯を沸かして貯留するタンク３１から給湯口３に湯を配送する管路３２にポンプ室２を配置し、上記ポンプ室２にモータ７で駆動させるインペラ４を回転自在に配置した電動ポットにおいて、インペラ４の回転軸芯方向の一方の端部の回転軸芯上にポンプ室２の内面に先端を支持された中央軸１６を突設し、他方の端部に、モータ７に装着された駆動マグネット１９と磁気カップリングを構成して互いに吸引される従動マグネット２０と、上記回転軸芯方向に直交したインペラ端面５を設け、上記インペラ端面５と対向したポンプ室２の内面を対向面６とし、上記対向面６及びインペラ端面５にそれぞれ同中心で同径の円環状のボール受け溝８を上記回転軸心を中心として凹設し、それぞれ対向した両ボール受け溝８，８の間に転がり接触する複数個のボール１を配置し、複数個のボール１の隣接するボール１間距離を一定に保つために上記複数個のボール１を保持器９に保持したことを特徴とする。これにより、インペラ４の回転軸芯方向の一方の端部に上記回転軸芯方向に直交したインペラ端面５とポンプ室２の内面の対向面６とを対向させ、上記インペラ端面５と対向面６との間に複数個のボール１を配置したことで、上記複数個のボール１がインペラ端面５及び対向面６に対して転がり接触をするものであり、回転したインペラ４のインペラ端面５と対向面６との間での接触抵抗を小さく抑えることができ、インペラ４の回転をスムーズに行わせることができ、また、上記複数個のボール１が両ボール受け溝８，８に転動自在に且つ移動自在に係合していることで、インペラ４の回転軸芯の位置を一定にしてポンプ室２に上記インペラ４を配置できるものであり、また、複数個のボール１の隣接するボール１間距離を一定に保つために上記複数個のボール１を保持器９に保持したことで、ボール受け溝８内に配置した複数個のボール１が近接してボール受け溝８内の偏った位置に位置されることを防ぐことができ、インペラ４の安定回転を確保することができ、従って、インペラ４を回転駆動させるモータ７に過負荷をかけることなく、モータ７の消費電力を低減させることができるものである。
【０００７】
また、本発明の請求項２に係る電動ポットの給湯用ポンプは、湯を沸かして貯留するタンク３１から給湯口３に湯を配送する管路３２にポンプ室２を配置し、上記ポンプ室２にモータ７で駆動させるインペラ４を回転自在に配置した電動ポットにおいて、インペラ４の回転軸芯方向の一方の端部の回転軸芯上にポンプ室２の内面に先端を支持された中央軸１６を突設し、他方の端部に、モータ７に装着された駆動マグネット１９と磁気カップリングを構成して互いに吸引される従動マグネット２０と、上記回転軸芯方向に直交したインペラ端面５を設け、上記インペラ端面５と対向したポンプ室２の内面を対向面６とし、上記対向面６またはインペラ端面５のうち一方に上記回転軸心を中心とした円環状のボール受け溝８を凹設し、対向面６またはインペラ端面５のうち他方の上記ボール受け溝８が対向する位置に上記ボール受け溝８と同中心で略同外径の円状のフラット面１０を凹設し、対向したボール受け溝８とフラット面１０との間に転がり接触する複数個のボール１を配置し、複数個のボール１の隣接するボール１間距離を一定に保つために上記複数個のボール１を保持器９に保持したことを特徴とする。これにより、インペラ４の回転軸芯方向の一方の端部に上記回転軸芯方向に直交したインペラ端面５とポンプ室２の内面の対向面６とを対向させ、上記インペラ端面５と対向面６との間に複数個のボール１を配置したことで、上記複数個のボール１がインペラ端面５及び対向面６に対して転がり接触をするものであり、回転したインペラ４のインペラ端面５と対向面６との間での接触抵抗を小さく抑えることができ、インペラ４の回転をスムーズに行わせることができ、また、上記複数個のボール１がボール受け溝８及びフラット面１０に転動自在に且つ移動自在に係合していることで、インペラ４の回転軸芯の位置を一定にして上記インペラ４をポンプ室２に配置できるものであり、また、複数個のボール１の隣接するボール１間距離を一定に保つために上記複数個のボール１を保持器９に保持したことで、ボール受け溝８内に配置した複数個のボール１が近接してボール受け溝８内の偏った位置に位置されることを防ぐことができ、インペラ４の安定回転を確保することができ、従って、インペラ４を回転駆動させるモータ７に過負荷をかけることなく、モータ７の消費電力を低減させることができるものである。
【０００８】
また、本発明の請求項３に係る電動ポットの給湯用ポンプは、湯を沸かして貯留するタンク３１から給湯口３に湯を配送する管路３２にポンプ室２を配置し、上記ポンプ室２にモータ７で駆動させるインペラ４を回転自在に配置した電動ポットにおいて、インペラ４の回転軸芯方向の一方の端部の回転軸芯上にポンプ室２の内面に先端を支持された中央軸１６を突設し、他方の端部に、モータ７に装着された駆動マグネット１９と磁気カップリングを構成して互いに吸引される従動マグネット２０と、上記回転軸芯方向に直交したインペラ端面５を設け、上記インペラ端面５と対向したポンプ室２の内面を対向面６とし、上記対向面６またはインペラ端面５のうち一方に球面形状に凹設した複数個のボール受け凹所１１を上記回転軸心を中心とした円周上に配置し、対向面６またはインペラ端面５のうち他方に上記ボール受け凹所１１が対向する円環状のボール受け溝８を上記ボール受け凹所１１の配置円と同中心で凹設し、ボール受け凹所１１とボール受け溝８の間に転がり接触するボール１をボール受け凹所１１毎に配置したことを特徴とする。これにより、インペラ４の回転軸芯方向の一方の端部に上記回転軸芯方向に直交したインペラ端面５とポンプ室２の内面の対向面６とを対向させ、上記インペラ端面５と対向面６との間に複数個のボール１を配置したことで、上記複数個のボール１がインペラ端面５及び対向面６に対して転がり接触をするものであり、回転したインペラ４のインペラ端面５と対向面６との間での接触抵抗を小さく抑えることができ、インペラ４の回転をスムーズに行わせることができ、また、ボール受け凹所１１毎に配置したボール１がそれぞれ円環状のボール受け溝８に転動自在且つ移動自在に係合していることで、インペラ４の回転軸芯の位置を一定にしてポンプ室２に上記インペラ４を配置できるものであり、また、複数個のボール受け凹所１１をインペラ４の回転軸芯に対して略対称位置に配置することで、インペラ４の安定回転を確保することができ、従って、インペラ４を回転駆動させるモータ７に過負荷をかけることなく、モータ７の消費電力を低減させることができるものである。
【０００９】
また、本発明の請求項４に係る電動ポットの給湯用ポンプは、湯を沸かして貯留するタンク３１から給湯口３に湯を配送する管路３２にポンプ室２を配置し、上記ポンプ室２にモータ７で駆動させるインペラ４を回転自在に配置した電動ポットにおいて、インペラ４の回転軸芯方向の一方の端部の回転軸芯上にポンプ室２の内面に先端を支持された中央軸１６を突設し、他方の端部に、モータ７に装着された駆動マグネット１９と磁気カップリングを構成して互いに吸引される従動マグネット２０と、上記回転軸芯方向に直交したインペラ端面５を設け、上記インペラ端面５と対向したポンプ室２の内面を対向面６とし、上記対向面６またはインペラ端面５のうち一方に球面形状に凹設した複数個のボール受け凹所１１を上記回転軸心を中心とした円周状に配置し、対向面６またはインペラ端面５のうち他方に複数個のボール受け凹所１１の配置円と同中心の円状のフラット面１０を凹設し、上記フラット面１０の外径部と上記ボール受け凹所１１とが対向し、ボール受け凹所１１とフラット面１０との間に転がり接触するボール１をボール受け凹所１１毎に配置したことを特徴とする。これにより、インペラ４の回転軸芯方向の一方の端部に上記回転軸芯方向に直交したインペラ端面５とポンプ室２の内面の対向面６とを対向させ、上記インペラ端面５と対向面６との間に複数個のボール１を配置したことで、上記複数個のボール１がインペラ端面５及び対向面６に対して転がり接触をするものであり、回転したインペラ４のインペラ端面５と対向面６との間での接触抵抗を小さく抑えることができ、インペラ４の回転をスムーズに行わせることができ、また、ボール受け凹所１１毎に配置したボール１がそれぞれフラット面１０に転動自在に且つ移動自在に係合していることで、インペラ４の回転軸芯の位置を一定にしてポンプ室２に上記インペラ４を配置できるものであり、また、複数個のボール受け凹所１１をインペラ４の回転軸芯に対して略対称位置に配置することで、インペラ４の安定回転を確保することができ、従って、インペラ４を回転駆動させるモータ７に過負荷をかけることなく、モータ７の消費電力を低減させることができるものである。
【００１０】
【発明の実施の形態】
以下、本発明を添付図面に示す実施形態に基づいて説明する。
【００１１】
図１及び図２に本発明の実施の形態の例を示す。この例においては、湯を沸かして貯留するタンク３１（図８）から給湯口３に湯を配送する管路３２にポンプ室２を配置しており、このポンプ室２には非磁性材で形成した板状隔壁１３を介してモータ室１２が隣接している。モータ室１２には電動で駆動するモータ７を配置し、モータ７からポンプ室２方向に延出したモータ駆動軸１４には駆動マグネット１９を装着している。なお、上記モータ７はモータ室１２にネジ２１を介して設置されている。ここで、図中２４はモータ室１２とポンプ室２との連結を水密的にするＯリングである。
【００１２】
一方、ポンプ室２には回転自在にインペラ４を配置している。このインペラ４は、その回転軸芯に直交した円盤１５の一方の端面にその回転軸芯上に中央軸１６を突設すると共に上記中央軸１６と円盤１５との間に多数の羽根１７を設け、また、円盤１５の他方の端面に従動マグネット２０を装着して形成されたものである。そして、上記インペラ４は上記円盤１５の従動マグネット２０を装着した端面を上記板状隔壁１３に対向させると共にその回転軸芯及び中央軸１６をモータ駆動軸１４の軸方向延長線上に位置させてポンプ室２内に配置される。ここで、上記円盤１５の板状隔壁１３に対向する端面はインペラ端面５を構成すると共に、板状隔壁１３のインペラ４が対向する部分は対向面６を構成するものである。なお、インペラ端面５は、本例では、円盤１５の端面にインペラ４の回転軸芯を中心とした円状凹所２２を凹設し、上記円状凹所２２に円盤状のブッシュ２３を嵌合して形成している。上記ポンプ室２内に配置したインペラ４は、インペラ端面５と対向面６との間に転がり接触した複数個のボール1を配置すると共に中央軸１６の先端をポンプ室２の内面に形成した軸支部１８に支持させることで、ポンプ室２に回転自在に配置されるものである。
【００１３】
このインペラ端面５と対向面６との間の構造を詳述すると、図２に示すように、対向面６及びインペラ端面５にそれぞれインペラ４の回転軸芯を中心とした同径の円環状のボール受け溝８を縦断面半円状に凹設し、それぞれ対向した両ボール受け溝８，８の間に転がり接触する複数個のボール１を配置しているものである。また、複数個のボール１は、隣接するボール間距離を保持する保持器９によって一体に連結されているものである。
【００１４】
上述したようにポンプ室２内に配置されたインペラ４は、モータ７によって回転駆動されるものであるが、板状隔壁１３を間に位置して対向した従動マグネット２０と駆動マグネット１９とが磁気カップリングを構成し、モータ７を回転駆動することで上記磁気カップリングを介してインペラ４を回転駆動させているものである。上記回転するインペラ４は湯をタンク３１から給湯口３に配送させるのである。
【００１５】
このとき、回転するインペラ４は、上記磁気カップリングによりモータ室１２方向に付勢を受けているものであって、上記インペラ４は通常の配置位置からよりモータ室１２に近接しようとし、インペラ端面５と対向面６との間にスラスト荷重（図中矢印Ａ）がかかるものである。本例では上述したように、上記インペラ端面５と対向面６との間には複数個のボール１が配置され、この複数個のボール１はインペラ端面５及び対向面６に転がり接触していることから、上記スラスト荷重（矢印Ａ）の影響下でもインペラ端面５と対向面６との接触抵抗を小さく抑えることができ、インペラ４の回転をスムーズに行わせることができ、従って、インペラ４を回転駆動させるモータ７に過負荷をかけることなく、モータ７の消費電力を低減させることができるものである。なお、回転するインペラ４は回転のガタつきを生じさせるラジアル荷重（図中矢印Ｂ）を受ける場合があるが、本例では、上記複数個のボール１が両ボール受け溝８，８に転動自在に且つ移動自在に係合させることによって、上記ラジアル荷重（矢印Ｂ）の影響下でもインペラ４の回転軸芯の位置を一定位置にしてインペラ４をポンプ室２に配設できるようにしてある。また、複数個のボール１の隣接するボール１間距離を一定に保つために上記複数個のボール１を保持器９に保持したことにより、ボール受け溝８内に配置した複数個のボール１が近接してボール受け溝８内の偏った位置に位置されることを防止しているため、インペラ４の安定回転を確保しているものである。
【００１６】
以下、実施の形態の他例について説明する。以下の実施の形態の他例は上記の実施の形態の例のインペラ端面５と対向面６との間の構造を変化させたものであるので、重複する部分の説明は省略し相違点を述べることにする。
【００１７】
図３に示す実施の形態の他例は、対向面６にインペラ４の回転軸芯を中心とした円環状のボール受け溝８を縦断面半円状に凹設し、一方、インペラ端面５にインペラ４の回転軸芯を中心とすると共に上記ボール受け溝８の外径と略同外径の円状のフラット面１０を凹設し、対向したボール受け溝８とフラット面１０との間に転がり接触する複数個のボール１を配置し、そして、複数個のボール１の隣接するボール１間距離を一定に保つために上記複数個のボール１を保持器９に保持した例である。この例によっても、インペラ端面５のフラット面１０と対向面６のボール受け溝８との間、つまり、インペラ端面５と対向面６との間に、つまり、インペラ端面５と対向面６との間に転がり接触する複数個のボール１を配置していることから、スラスト荷重（図中矢印Ａ）の影響下でもインペラ端面５と対向面６との接触抵抗を小さく抑えることができ、インペラ４の回転をスムーズに行わせることができ、従って、インペラ４を回転駆動させるモータ７に過負荷をかけることなく、モータ７の消費電力を低減させることができるものである。また、複数個のボール１がボール受け溝８及びフラット面１０に転動自在に且つ移動自在に係合していることで、ラジアル荷重（図中矢印Ｂ）の影響下でもインペラ４の回転軸芯の位置を一定にしてインペラ４をポンプ室２に配置できるものであり、また、複数個のボール１の隣接するボール１間距離を一定に保つために上記複数個のボール１を保持器９に保持したことで、ボール受け溝８内に配置した複数個のボール１が近接してボール受け溝８内の偏った位置に位置することを防ぐことができ、インペラ４の安定回転を確保することができるものである。
【００１８】
図４に示す実施の形態の他例は、先の図３の実施の形態の他例とボール受け溝８とフラット面１０とを設ける部材をインペラ端面５と対向面６との間で逆にしたものであって、具体的には、インペラ端面５にインペラ４の回転軸芯を中心とした円環状のボール受け溝８を縦断面半円状に凹設し、一方、対向面６にインペラ４の回転軸芯を中心とすると共に上記ボール受け溝８の外径と略同外径の円状のフラット面１０を凹設し、対向したボール受け溝８とフラット面１０との間に転がり接触した複数個のボール１を配置し、そして、複数個のボール１の隣接するボール１間距離を一定に保つために上記複数個のボール１を保持器９に保持した例である。この例においても、先の図３の実施の形態の他例と同様の作用効果が得られるものである。
【００１９】
図５に示す実施の形態の他例は、対向面６に球面形状に凹設した複数個のボール受け凹所１１を回転軸芯を中心とした円周上に配置し、インペラ端面５に上記ボール受け凹所１１が対向するように円環状のボール受け溝８を縦断面半円状に凹設し、ボール受け凹所１１とボール受け溝８の間に転がり接触するボール１をボール受け凹所１１毎に配置した例である。この例においても、インペラ端面５のボール受け溝８と対向面６のボール受け凹所１１との間、つまり、インペラ端面５と対向面６との間に転がり接触する複数個のボール１を配置していることから、スラスト荷重（図中矢印Ａ）の影響下でもインペラ端面５と対向面６との接触抵抗を小さく抑えることができ、インペラ４の回転をスムーズに行わせることができ、従って、インペラ４を回転駆動させるモータ７に過負荷をかけることなく、モータ７の消費電力を低減させることができるものであり、また、ボール受け凹所１１毎に配置したボール１がそれぞれ円環状のボール受け溝８に転動自在且つ移動自在に係合しており、ラジアル荷重（図中矢印Ｂ）の影響下でもインペラ４の回転軸芯の位置を一定にしてポンプ室２に配置できるものであり、また、複数個のボール受け凹所１１をインペラ４の回転軸芯に対して略対称位置に配置することで、インペラ４の安定回転を確保することができるものである。なお、図３の例と図４の例との関係のように、ボール受け溝８とボール受け凹所１１とを設ける部材をインペラ端面５と対向面６との間で逆にしたものでも本例と同様の作用効果が得られるものである。
【００２０】
図６に示す実施の形態の他例は、対向面６に球面形状に凹設した複数個のボール受け凹所１１を回転軸芯を中心とした円周状に配置し、インペラ端面５に上記複数個のボール受け凹所１１の配置円と同中心であるインペラ４の回転軸芯を中心とした円状のフラット面１０を凹設し、上記フラット面１０の外径部に亘って上記ボール受け凹所１１が対向し、ボール受け凹所１１とフラット面１０との間に転がり接触するボール１をボール受け凹所１１毎に配置した例である。この例においても、インペラ端面５のフラット面１０と対向面６のボール受け凹所１１との間、つまり、インペラ端面５と対向面６との間に転がり接触する複数個のボール１を配置していることから、スラスト荷重（図中矢印Ａ）の影響下でもインペラ端面５と対向面６との接触抵抗を小さく抑えることができ、インペラ４の回転をスムーズに行わせることができ、従って、インペラ４を回転駆動させるモータ７に過負荷をかけることなく、モータ７の消費電力を低減させることができるものであり、また、上記ボール受け凹所１１は回転軸芯を中心とした円周状に配置されており、上記複数個のボール受け凹所１１は凹設されたフラット面１０の外径部に亘って対向し、そして、ボール受け凹所１１毎に配置したボール１が上記フラット面１０の外径部にそれぞれ転動自在且つ移動自在に位置しており、ここで、上記凹設したフラット面１０の外径部の周壁にも上記複数個のボール1はそれぞれ転動自在且つ移動自在に接触することで、つまり、上記複数個のボール1は上記フラット面１０に転動自在且つ移動自在に係合しており、ラジアル荷重（図中矢印Ｂ）の影響下でもインペラ４の回転軸芯の位置を一定にしてポンプ室２にインペラ４を配置できるものであり、また、複数個のボール受け凹所１１をインペラ４の回転軸芯に対して略対称位置に配置することで、インペラ４の安定回転を確保することができるものである。なお、図３の例と図４の例との関係のように、フラット面１０とボール受け凹所１１とを設ける部材をインペラ端面５と対向面６との間で逆にしたものでも本例と同様の作用効果が得られるものである。
【００２１】
【発明の効果】
上記のように本発明の請求項１記載の電動ポットの給湯用ポンプにあっては、湯を沸かして貯留するタンクから給湯口に湯を配送する管路にポンプ室を配置し、上記ポンプ室にモータで駆動させるインペラを回転自在に配置した電動ポットにおいて、インペラの回転軸芯方向の一方の端部の回転軸芯上にポンプ室の内面に先端を支持された中央軸を突設し、他方の端部に、モータに装着された駆動マグネットと磁気カップリングを構成して互いに吸引される従動マグネットと、上記回転軸芯方向に直交したインペラ端面を設け、上記インペラ端面と対向したポンプ室の内面を対向面とし、上記対向面及びインペラ端面にそれぞれ同中心で同径の円環状のボール受け溝を上記回転軸心を中心として凹設し、それぞれ対向した両ボール受け溝の間に転がり接触する複数個のボールを配置し、複数個のボールの隣接するボール間距離を一定に保つために上記複数個のボールを保持器に保持したので、インペラの回転軸芯方向の一方の端部に上記回転軸芯方向に直交したインペラ端面とポンプ室の内面の対向面とを対向させ、上記インペラ端面と対向面との間に複数個のボールを配置したことから、上記複数個のボールがインペラ端面及び対向面に対して転がり接触をするものであり、回転したインペラのインペラ端面と対向面との間での接触抵抗を小さく抑えることができ、インペラの回転をスムーズに行わせることができ、また、上記複数個のボールが両ボール受け溝に転動自在に且つ移動自在に係合していることから、インペラの回転軸芯の位置を一定にしてポンプ室に上記インペラを配置できるものであり、また、複数個のボールの隣接するボール間距離を一定に保つために複数個のボールを保持器に保持したことから、ボール受け溝内に配置した複数個のボールが近接してボール受け溝内の偏った位置に位置されることを防ぐことができ、インペラの安定回転を確保することができ、従って、インペラを回転駆動させるモータに過負荷をかけることなく、モータの消費電力を低減させることができるものである。
【００２２】
また、本発明の請求項２記載の電動ポットの給湯用ポンプにあっては、湯を沸かして貯留するタンクから給湯口に湯を配送する管路にポンプ室を配置し、上記ポンプ室にモータで駆動させるインペラを回転自在に配置した電動ポットにおいて、インペラの回転軸芯方向の一方の端部の回転軸芯上にポンプ室の内面に先端を支持された中央軸を突設し、他方の端部に、モータに装着された駆動マグネットと磁気カップリングを構成して互いに吸引される従動マグネットと、上記回転軸芯方向に直交したインペラ端面を設け、上記インペラ端面と対向したポンプ室の内面を対向面とし、上記対向面またはインペラ端面のうち一方に上記回転軸心を中心とした円環状のボール受け溝を凹設し、対向面またはインペラ端面のうち他方の上記ボール受け溝が対向する位置に上記ボール受け溝と同中心で略同外径の円状のフラット面を凹設し、対向したボール受け溝とフラット面との間に転がり接触する複数個のボールを配置し、複数個のボールの隣接するボール間距離を一定に保つために上記複数個のボールを保持器に保持したので、インペラの回転軸芯方向の一方の端部に上記回転軸芯方向に直交したインペラ端面とポンプ室の内面の対向面とを対向させ、上記インペラ端面と対向面との間に複数個のボールを配置したことから、上記複数個のボールがインペラ端面及び対向面に対して転がり接触をするものであり、回転したインペラのインペラ端面と対向面との間での接触抵抗を小さく抑えることができ、インペラの回転をスムーズに行わせることができ、また、上記複数個のボールがボール受け溝及びフラット面に転動自在に且つ移動自在に係合していることから、インペラの回転軸芯の位置を一定にして上記インペラをポンプ室に配置できるものであり、また、複数個のボールの隣接するボール間距離を一定に保つために複数個のボールを保持器に保持したことから、ボール受け溝内に配置した複数個のボールが近接してボール受け溝内の偏った位置に位置されることを防ぐことができ、インペラの安定回転を確保することができ、従って、インペラを回転駆動させるモータに過負荷をかけることなく、モータの消費電力を低減させることができるものである。
【００２３】
また、本発明の請求項３記載の電動ポットの給湯用ポンプにあっては、湯を沸かして貯留するタンクから給湯口に湯を配送する管路にポンプ室を配置し、上記ポンプ室にモータで駆動させるインペラを回転自在に配置した電動ポットにおいて、インペラの回転軸芯方向の一方の端部の回転軸芯上にポンプ室の内面に先端を支持された中央軸を突設し、他方の端部に、モータに装着された駆動マグネットと磁気カップリングを構成して互いに吸引される従動マグネットと、上記回転軸芯方向に直交したインペラ端面を設け、上記インペラ端面と対向したポンプ室の内面を対向面とし、上記対向面またはインペラ端面のうち一方に球面形状に凹設した複数個のボール受け凹所を上記回転軸心を中心とした円周上に配置し、対向面またはインペラ端面のうち他方に上記ボール受け凹所が対向する円環状のボール受け溝を上記回転軸心を中心として凹設し、ボール受け凹所とボール受け溝の間に転がり接触するボールをボール受け凹所毎に配置したので、インペラの回転軸芯方向の一方の端部に上記回転軸芯方向に直交したインペラ端面とポンプ室の内面の対向面とを対向させ、上記インペラ端面と対向面との間に複数個のボールを配置したことから、上記複数個のボールがインペラ端面及び対向面に対して転がり接触をするものであり、回転したインペラのインペラ端面と対向面との間での接触抵抗を小さく抑えることができ、インペラの回転をスムーズに行わせることができ、また、ボール受け凹所毎に配置したボールがそれぞれ円環状のボール受け溝に転動自在且つ移動自在に係合していることから、インペラの回転軸芯の位置を一定にしてポンプ室に上記インペラを配置できるものであり、また、複数個のボール受け凹所をインペラの回転軸芯に対して略対称位置に配置することから、インペラの安定回転を確保することができ、従って、インペラを回転駆動させるモータに過負荷をかけることなく、モータの消費電力を低減させることができるものである。
【００２４】
また、本発明の請求項４記載の電動ポットの給湯用ポンプにあっては、湯を沸かして貯留するタンクから給湯口に湯を配送する管路にポンプ室を配置し、上記ポンプ室にモータで駆動させるインペラを回転自在に配置した電動ポットにおいて、インペラの回転軸芯方向の一方の端部の回転軸芯上にポンプ室の内面に先端を支持された中央軸を突設し、他方の端部に、モータに装着された駆動マグネットと磁気カップリングを構成して互いに吸引される従動マグネットと、上記回転軸芯方向に直交したインペラ端面を設け、上記インペラ端面と対向したポンプ室の内面を対向面とし、上記対向面またはインペラ端面のうち一方に球面形状に凹設した複数個のボール受け凹所を上記回転軸心を中心とした円周状に配置し、対向面またはインペラ端面のうち他方に複数個のボール受け凹所の配置円と同中心の円状のフラット面を凹設し、上記フラット面の外径部と上記ボール受け凹所とが対向し、ボール受け凹所とフラット面との間に転がり接触するボールをボール受け凹所毎に配置したので、インペラの回転軸芯方向の一方の端部に上記回転軸芯方向に直交したインペラ端面とポンプ室の内面の対向面とを対向させ、上記インペラ端面と対向面との間に複数個のボールを配置したことから、上記複数個のボールがインペラ端面及び対向面に対して転がり接触をするものであり、回転したインペラのインペラ端面と対向面との間での接触抵抗を小さく抑えることができ、インペラの回転をスムーズに行わせることができ、また、ボール受け凹所毎に配置したボールがそれぞれフラット面に転動自在に且つ移動自在に係合していることから、インペラの回転軸芯の位置を一定にしてポンプ室に上記インペラを配置できるものであり、また、複数個のボール受け凹所をインペラの回転軸芯に対して略対称位置に配置することから、インペラの安定回転を確保することができ、従って、インペラを回転駆動させるモータに過負荷をかけることなく、モータの消費電力を低減させることができるものである。
【図面の簡単な説明】
【図１】  本発明の実施の形態の例を示す側面断面図である。
【図２】  同上のインペラのインペラ端面と板状隔壁の対向面との間の構造を示すものであり、（ａ）は側面図であり、（ｂ）は上面図であり、（ｃ）は下面図である。
【図３】  実施の形態の他例のインペラのインペラ端面と板状隔壁の対向面との間の構造を示すものであり、（ａ）は側面図であり、（ｂ）は上面図であり、（ｃ）は下面図である。
【図４】  実施の形態の更に他例のインペラのインペラ端面と板状隔壁の対向面との間の構造を示すものであり、（ａ）は側面図であり、（ｂ）は上面図であり、（ｃ）は下面図である。
【図５】  実施の形態の更に他例のインペラのインペラ端面と板状隔壁の対向面との間の構造を示すものであり、（ａ）は側面図であり、（ｂ）は上面図であり、（ｃ）は下面図である。
【図６】  実施の形態の更に他例のインペラのインペラ端面と板状隔壁の対向面との間の構造を示すものであり、（ａ）は側面図であり、（ｂ）は上面図であり、（ｃ）は下面図である。
【図７】  従来技術を示す側面断面図である。
【図８】  一般的な電動ポットの構造を示す概略断面図である
【符号の説明】
１  ボール
２  ポンプ室
３  給湯口
４  インペラ
５  インペラ端面
６  対向面
８  ボール受け溝
９  保持器
１３  板状隔壁
２２  円状凹所
２３  ブッシュ
【図１】
0004370714.tif 000002
【図２】
0004370714.tif 000003
【図３】
0004370714.tif 000004
【図４】
0004370714.tif 000005
【図５】
0004370714.tif 000006
【図６】
0004370714.tif 000007
【図７】
0004370714.tif 000008
【図８】
0004370714.tif 000009